(57)【要約】【課題】画像形成装置、画像読取装置の騒音の発生を抑制することができる。【解決手段】基材の相手部材に摺動する摺動面に、静止摩擦係数μｓと動摩擦係数μｄとの差Δμが０．１２以下となる被膜層を形成した。この被膜層を形成する部材としては、用紙が摺動する搬送ガイド部材、支持軸に摺動する開閉カバーや手差しトレイ２０２などの装置の開閉カバー、固定軸に摺動するギヤ、ガイドレールに摺動するシート収容カセット２６などの引き出しユニットに設けられたガイド部材などが挙げられる。【選択図】図１
2019026414.tif 000002
【特許請求の範囲】
【請求項１】
画像形成装置、画像読取装置または自動原稿搬送装置に使用される部材において、
基材と、
前記基材に被膜された被膜層とを有し、
前記被膜層の動摩擦係数と静止摩擦係数との差が、０．１２以下であることを特徴とする部材。
【請求項２】
請求項１に記載の部材において、
前記被膜層の前記静止摩擦係数が、０．２２以下であることを特徴とする部材。
【請求項３】
請求項１または２に記載の部材において、
当該部材の、シート状部材と接触して停止した状態と、相対的に摺動する状態とを取りうる部分に前記被膜層が形成されていることを特徴とする部材。
【請求項４】
請求項１または２に記載の部材において、
当該部材の、金属部材と接触して停止した状態と、相対的に摺動する状態とを取りうる部分に前記被膜層が形成されていることを特徴とする部材。
【請求項５】
請求項１または２に記載の部材において、
当該部材の、樹脂部材と接触して停止した状態と、相対的に摺動する状態とを取りうる部分に前記被膜層が形成されていることを特徴とする部材。
【請求項６】
請求項１乃至５いずれか一項に記載の部材において、
前記被膜層の表面粗さが、前記基材の表面粗さ以下であることを特徴とする部材。
【請求項７】
請求項６に記載の部材において、
前記被膜層の表面粗さＲａは０．２［μｍ］以下であり、
前記基材の表面粗さＲａは０．２［μｍ］以上３［μｍ］以下であることを特徴とする部材。
【請求項８】
請求項１乃至７いずれか一項に記載の部材において、
前記被膜層の膜厚は５０［μｍ］以下であることを特徴とする部材。
【請求項９】
請求項１乃至８のいずれか一項に記載の部材において、
前記被膜層は１０［μｍ］よりも厚いことを特徴とする部材。
【請求項１０】
請求項１乃至９のいずれか一項に記載の部材において、
前記基材は、樹脂材料から構成されていることを特徴とする部材。
【請求項１１】
請求項１０に記載の部材において、
前記基材は、少なくとも前記樹脂材料とフィラーとで構成されていることを特徴とする部材。
【請求項１２】
請求項１乃至１１いずれか一項に記載の部材において、
当該部材は、前記画像形成装置または前記自動原稿搬送装置におけるシートの搬送経路に沿って設けられる搬送ガイド部材であり、
前記シートが接触するガイド面に少なくとも前記被膜層が形成されていることを特徴とする部材。
【請求項１３】
請求項１２に記載の部材において、
前記シートが接触する前記ガイド面は湾曲していることを特徴とする部材。
【請求項１４】
請求項１２または１３に記載の部材において、
前記シートの搬送方向と直交する幅方向において部分的に形成され前記シートの搬送方向に延在する一又は複数の凸部を有し、
前記ガイド面は、前記凸部の頂面であることを特徴とする部材。
【請求項１５】
シートを搬送し、画像を形成する画像形成装置において、
請求項１乃至１４いずれか一項に記載の部材を用いたことを特徴とする画像形成装置。
【請求項１６】
シートに形成された画像を読み取る画像読取装置において、
請求項１乃至１４いずれか一項に記載の部材を用いたことを特徴とする画像読取装置。
【請求項１７】
シート状部材を搬送する自動原稿搬送装置において、
請求項１乃至１４いずれか一項に記載の部材を用いたことを特徴とする自動原稿搬送装置。
【発明の詳細な説明】
【技術分野】
【０００１】
本発明は、画像形成装置、画像読取装置または自動原稿搬送装置に使用される部材、画像形成装置、画像読取装置および自動原稿搬送装置に関するものである。
【背景技術】
【０００２】
画像形成装置や画像読取装置の自動原稿搬送装置には、記録紙や原稿などのシートの搬送路に設けられ、その搬送路に沿って搬送されているシートをガイドする樹脂材料からなる搬送ガイド部材が使用されている。
【０００３】
特許文献１には、かかる搬送ガイド部材であって、電子写真装置の転写部へ搬送される用紙をガイドする部材が開示されている。この部材をガラス繊維強化アクリロニトリル・ブタジエン・スチレン系樹脂で形成することにより部材の剛性及び耐熱性だけでなく長期利用時の耐摩耗性を向上させることができるとされている。
【発明の概要】
【発明が解決しようとする課題】
【０００４】
従来の樹脂材料で形成した搬送ガイド部材では、シートが搬送ガイド部材に摺動することで摺擦音が発生し、これが装置の騒音となる課題があった。
【０００５】
なお、上記課題は、搬送ガイド部材に限らず、相手部材に摺動する部材であれば同様に発生する課題である。
【課題を解決するための手段】
【０００６】
上記課題を解決するために、本発明は、画像形成装置、画像読取装置または自動原稿搬送装置に使用される部材において、基材と、前記基材に被膜された被膜層とを有し、前記被膜層の動摩擦係数と静止摩擦係数との差が、０．１２以下であることを特徴とするものである。
【発明の効果】
【０００７】
本発明によれば、画像形成装置、画像読取装置または自動原稿搬送装置の騒音を抑えることができる。
【図面の簡単な説明】
【０００８】
【図１】本発明の実施形態に係る搬送ガイド部材を備えた画像形成装置の一構成例を示す概略構成図。
【図２】実施形態に係る画像形成装置の定着部周辺の拡大図。
【図３】（ａ）及び（ｂ）はそれぞれ、実施形態に係る画像形成装置の装置本体における第３の用紙搬送路を形成するように設けられた搬送ガイド部材の斜視図及び断面図。（ｃ）は同搬送ガイド部材のリブ部の断面図。
【図４】（ａ）及び（ｂ）はそれぞれ、実施形態に係る画像形成装置の装置本体における第２の用紙搬送路を形成するように設けられた搬送ガイド部材の斜視図及び断面図。（ｃ）は同搬送ガイド部材のリブ部の断面図。
【図５】（ａ）及び（ｂ）はそれぞれ、実施形態に係る画像形成装置の装置本体における第２及び第３の用紙搬送路を形成するように設けられた搬送ガイド部材の斜視図及び断面図。（ｃ）は同搬送ガイド部材のリブ部の断面図。
【図６】（ａ）及び（ｂ）はそれぞれ、実施形態に係る画像形成装置に設けられた画像読取装置における原稿搬送経路に設けられた搬送ガイド部材の斜視図及び断面図。（ｃ）は同搬送ガイド部材のリブ部の断面図。
【図７】実施形態に係る搬送ガイド部材の製造に用いられる塗布装置の一構成例を示す説明図。
【図８】実施形態に係る搬送ガイド部材の製造に用いられる塗布装置の他の構成例を示す説明図。
【図９】実施形態に係る搬送ガイド部材の製造に用いられる塗布装置の更に他の構成例を示す説明図。
【図１０】（ａ）及び（ｂ）はそれぞれ実施形態に係る搬送ガイド部材の製造に用いられる塗布装置の更に他の構成例を示す平面図及び正面図。
【図１１】開閉カバー、手差しトレイの開閉について説明する概略斜視図。
【図１２】感光体などの回転体を駆動する装置本体に設けられた駆動装置の一例を示す概略構成図。
【図１３】段ギヤの正面図。
【図１４】画像形成装置において用紙に搬送力を付与する各ローラ部材と、シート収容カセットとを模式的に示す模式図。
【図１５】シート収容カセットの概略構成図。
【発明を実施するための形態】
【０００９】
以下、図面を参照して本発明の実施の形態を説明する。
図１は、本発明の実施形態に係る画像形成装置の一構成例を示す概略構成図である。また、図２は、図１の画像形成装置１００の定着部周辺Ａの拡大図である。画像形成装置１００は、電子写真方式の画像形成装置であり、プリント部である装置本体２００と、画像読取装置３００とを備えている。なお、本実施形態では、電子写真方式の画像形成装置１００について説明するが、画像形成装置１００における画像形成方式はインクジェット方式などの他の方式であってもよい。
【００１０】
装置本体２００は、画像読取装置３００で読み取られた画像の画像データや外部装置から送られてきた画像データに基づいて、シート供給部としての給紙装置２１０から供給された記録媒体としてのシートである用紙（記録シート）４００にトナー画像を形成する。
【００１１】
画像読取装置３００は、シート搬送装置としての原稿自動送り装置（ＡＤＦ：Ａｕｔｏ  Ｄｏｃｕｍｅｎｔ  Ｆｅｅｄｅｒ）３１０と、スキャナ部３２０とを備える。原稿自動送り装置３１０は、利用者がセットした画像読取対象としてのシートである原稿４１０を送り出し、スキャナ部３２０は、原稿自動送り装置３１０から送り出された原稿４１０の画像を読み取る。
【００１２】
搬送対象の用紙４００や原稿４１０などのシートの厚さは、例えば５０μｍ〜５００μｍである。一般に上質紙と呼ばれる厚さが１００μｍ程度（例えば１００μｍ±１０μｍ）の用紙４００や原稿４１０などのシートも搬送対象とされる。
【００１３】
装置本体（プリント部）２００は、イエロー、マゼンタ、シアン、黒（以下、Ｙ、Ｍ、Ｃ、Ｋと記す）のトナー像を作像するための４つの作像ユニット６Ｙ、６Ｍ、６Ｃ、６Ｋを備えている。これらは、画像形成物質として、互いに異なる色のＹ、Ｍ、Ｃ、Ｋトナーを用いるが、それ以外は同様の構成になっており、寿命到達時に交換される。作像ユニット６Ｙ、６Ｍ、６Ｃ、６Ｋはそれぞれ、潜像担持体としてのドラム状の感光体、感光体クリーニング手段としてのドラムクリーニング装置、除電装置、帯電装置、現像装置等を備えている。これらの作像ユニットは、装置本体２００に脱着可能であり、一度に消耗部品を交換できるようになっている。
【００１４】
図１において作像ユニット６Ｙ、Ｍ、Ｃ、Ｋの図中下方には光書込ユニット７が配設されている。潜像形成手段としての光書込ユニット７は、画像情報に基づいて発したレーザー光Ｌを、作像ユニット６Ｙ、Ｍ、Ｃ、Ｋにおけるそれぞれの感光体に照射して露光する。この露光により、各感光体上にＹ、Ｍ、Ｃ、Ｋ用の静電潜像が形成される。なお光書込ユニット７は、光源から発したレーザー光を、モーターによって回転駆動しているポリゴンミラーで主走査方向（感光体軸線方向）に偏向させながら、複数の光学レンズやミラーを介して感光体に照射するものである。
【００１５】
光書込ユニット７の下方には、シート収容カセット２６や、これに組み込まれた分離手段２７などを有する給紙装置２１０が配設されている。シート収容カセット２６は、用紙４００を複数枚重ねたシート束の状態で収納している。また、分離手段２７は、回転駆動可能なフィードローラ２７ａと、これに当接する分離パッド２７ｂとによって分離ニップを形成している。
【００１６】
シート収容カセット２６内のシート束における一番上の用紙４００には、分離手段２７のフィードローラ２７ａが接触している。フィードローラ２７ａは、自らの回転駆動により、用紙４００を分離ニップ内に送り込む。分離ニップ内に対して複数枚の用紙４００が重なった状態で送り込まれると、それらの用紙のうち、最上位の用紙４００だけにフィードローラ２７ａが接触する。最上位の用紙４００は、フィードローラ２７ａの表面移動に追従して分離ニップ内を給送方向に移動する。これに対し、最上位の用紙４００を除く下位側の用紙には、表面移動しない分離パッド２７ｂによる負荷抵抗が付与される。これにより、下位側の用紙は、最上位の用紙４００に追従して給送方向に移動することができず、分離ニップ内に留まる。このようにして、分離手段２７は、シート収容カセット２６内から送り出された複数枚の用紙のうち、最上位の用紙４００だけを１枚に分離して分離ニップから第１のシート搬送経路（給紙路）２５０に向けて送り出す。
【００１７】
給紙路の長さ方向における中間点付近には、搬送手段としての搬送ローラ対２８が配設されている。この搬送ローラ対２８は、搬送部材としての第１搬送ローラ２８ａと、搬送部材としての第２搬送ローラ２８ｂとを当接させて搬送ニップを形成している。２つの搬送ローラのうち、少なくとも第１搬送ローラ２８ａは、駆動手段によって回転駆動されるようになっている。
【００１８】
また、給紙路の長さ方向における末端付近には、突き当て搬送手段としてのレジストローラ対２９が配設されている。このレジストローラ対２９は、突き当て搬送部材としての第１レジストローラ２９ａと、これに当接して突き当て搬送ニップとしてのレジストニップを形成する第２レジストローラ対２９ｂをと具備している。２つのレジストローラ対のうち、少なくとも第１レジストローラ２９ａは、駆動手段によって回転駆動されるようになっている。
【００１９】
搬送ローラ対２８の第１搬送ローラ２８ａは、分離手段２７のフィードローラ２７ａの回転駆動が開始されるのとほぼ同時、あるいは、僅かなタイムラグをおいて、回転駆動が開始される。分離手段２７の分離ニップから給紙路に送り出された用紙４００の先端部は、やがて搬送ローラ対２８の搬送ニップに挟み込まれる。第１搬送ローラ２８ａは、フィードローラ２７ａよりも速い線速で回転駆動されるので、このとき、用紙４００は分離ニップと搬送ニップとの間において強いテンションで張られる。そして、フィードローラに対して強いトルクがかかることで、トルクリミッターが作動してフィードローラが用紙４００に連れ回るようになる。このとき、トルクリミッターが不規則に作動することで、用紙４００に対してバックテンションが不規則にかかる。そして、用紙４００が第１搬送ローラ２８ａ上でスリップを起こすことで、第１搬送ローラ２８ａの摩耗を助長する。
【００２０】
その後、用紙４００は、第１搬送ローラ２８ａの回転駆動によって搬送ニップ内からレジストローラ対２９に向けて送り出された後、先端をレジストローラ対２９のレジストニップに突き当てる。このとき、レジストローラ対２９の回転駆動は停止されているため、用紙４００はレジストニップ内に進入することができず、徐々に撓んでいく。この撓みにより、用紙４００のスキューが補正される。
【００２１】
搬送ローラ対２８の搬送ニップから用紙４００が送り出され始めた後、所定のタイミングが到来した時点で、分離手段２７のフィードローラ２７ａの回転駆動、及び搬送ローラ対２８の回転駆動が停止される。これにより、用紙４００は、先端部を撓ませた状態で搬送が一時停止される。
【００２２】
作像ユニット６Ｙ、Ｍ、Ｃ、Ｋの図中上方には、中間転写体としての中間転写ベルト８を張架しながら無端移動させる中間転写ユニット１５が配設されている。この中間転写ユニット１５は、中間転写ベルト８の他、４つの一次転写バイアスローラ９Ｙ、Ｍ、Ｃ、Ｋ、ベルトクリーニング装置１０などを備えている。また二次転写バックアップローラ１２、クリーニングバックアップローラ１３、テンションローラ１４なども備えている。
【００２３】
中間転写ベルト８は、ループ内側の３つのローラに張架されながら、少なくとも何れか１つのローラの回転駆動によって図中反時計回りに無端移動させられる。一次転写バイアスローラ９Ｙ、Ｍ、Ｃ、Ｋは、このように無端移動させた中間転写ベルト８を感光体１Ｙ、Ｍ、Ｃ、Ｋとの間に挟み込んでそれぞれ一次転写ニップを形成している。これらは中間転写ベルト８の裏面（ループ内周面）にトナーとは逆極性（例えばプラス）の転写バイアスを印加する方式のものである。一次転写バイアスローラ９Ｙ、Ｍ、Ｃ、Ｋを除くローラは、全て電気的に接地されている。中間転写ベルト８は、その無端移動に伴ってＹ、Ｍ、Ｃ、Ｋ用の一次転写ニップを順次通過していく過程で、感光体１Ｙ、Ｍ、Ｃ、Ｋ上のＹ、Ｍ、Ｃ、Ｋトナー像が重ね合わせて一次転写される。これにより、中間転写ベルト８上に４色重ね合わせトナー像（以下、４色トナー像という）が形成される。
【００２４】
ベルトループ内側に配設された二次転写バックアップローラ１２は、ベルトループ外側に配設された二次転写ローラ１９との間に中間転写ベルト８を挟み込んで二次転写ニップを形成している。中間転写ベルト８上に形成された４色トナー像は、この二次転写ニップで用紙４００に転写される。二次転写ニップを通過した後の中間転写ベルト８には、用紙４００に転写されなかった転写残トナーが付着している。これは、ベルトクリーニング装置１０によってクリーニングされる。
【００２５】
フィードローラ２７ａや搬送ローラ対２８の回転駆動を一時停止された後、用紙４００を二次転写ニップ内で中間転写ベルト８上の４色トナー像と同期させ得るタイミングが到来すると、フィードローラ２７ａや搬送ローラ対２８の回転駆動が再開される。また、レジストローラ対２９の回転駆動が開始する。これにより、用紙４００がレジストローラ対２９のレジストニップに挟み込まれた後、レジストニップから二次転写ニップに向けて送り出される。そして、二次転写ニップにおいて、中間転写ベルト８上の４色トナー像に重ね合わされる。
【００２６】
二次転写ニップから送り出された用紙４００は、定着装置２０の定着ローラ対２３０の間を通過する際に熱と圧力とにより、表面に転写された４色トナー像が定着される。その後、用紙４００は、排紙ローラ対３０のローラ間を経て機外へと排出される。装置本体２００の上面には、スタック部３１が形成されており、上記排紙ローラ対３０によって機外に排出された用紙４００は、このスタック部３１上に順次スタックされる。
【００２７】
中間転写ユニット１５と、これよりも上方にあるスタック部３１との間には、ボトル収容器３３が配設されている。このボトル収容器３３は、Ｙ、Ｍ、Ｃ、Ｋトナーを収容する補給用トナー収容部としてのトナーボトル３２Ｙ、Ｍ、Ｃ、Ｋを収容している。トナーボトル３２Ｙ、Ｍ、Ｃ、Ｋは、ボトル収容器３３上にトナー各色毎に上から置くようにして設置する。トナーボトル３２Ｙ、Ｍ、Ｃ、Ｋ内のＹ、Ｍ、Ｃ、Ｋトナーは、それぞれ後述するトナー搬送手段としてのトナー補給装置により、作像ユニット６Ｙ、Ｍ、Ｃ、Ｋの現像装置に適宜補給される。これらのトナーボトル３２Ｙ、Ｍ、Ｃ、Ｋは、作像ユニット６Ｙ、Ｍ、Ｃ、Ｋとは独立して装置本体２００に脱着可能である。
【００２８】
定着装置２０の近傍には、スイッチバック装置が配設されている。用紙４００の両面に画像を形成する両面プリントモードにおいて、片面だけにトナー像が形成された後に定着装置２０を通過した用紙４００は、このスイッチバック装置により、上下反転される。上下反転された用紙４００は反転路２５４を経由してレジストローラ対２９のレジストニップに向けて再送される。そして、レジストニップから二次転写ニップに送られてもう片方の面にもトナー像が形成された後、定着装置２０でもう片方の面のトナー像の定着処理が施された後、排紙ローラ対３０を経由してスタック部３１上にスタックされる。
【００２９】
装置本体（プリント部）２００の上には、前述のように原稿自動送り装置（ＡＤＦ）３１０とスキャナ部３２０とを具備する画像読取装置３００が配設されている。この画像読取装置３００は、装置本体２００の背面に固定された２本の脚部で支えられる架台１９９の上に固定されており、装置本体２００のスタック部３１と、架台１９９との間には大きな空間が介在している。スタック部３１の上にスタックされる用紙４００はその空間に位置することになる。
【００３０】
画像読取装置３００のスキャナ部３２０は、固定読取部３２１や移動読取部３２２を有している。移動読取部３２２は、原稿４１０に接触するようにスキャナ部３２０のケーシング上壁に固定された第２コンタクトガラスの直下に配設されており、光源や、反射ミラーなどからなる光学系を図中左右方向に移動させることができる。そして、光学系を図中左側から右側に移動させていく過程で、光源から発した光を第２コンタクトガラス上に載置された原稿の表面で反射させた後、複数の反射ミラーを経由させて、スキャナ本体に固定された画像読取センサー３２３で受光する。
【００３１】
一方、固定読取部３２１は、光源、反射ミラー、ＣＣＤ等の画像読取センサーなどを有しており、原稿４１０に接触するようにスキャナ部３２０のケーシング上壁に固定された第１コンタクトガラスの直下に配設されている。そして、原稿自動送り装置３１０によって搬送される原稿４１０が第１コンタクトガラス上を通過する際に、光源から発した光を原稿面で順次反射させながら、複数の反射ミラーを経由させて画像読取センサーで受光する。これにより、光源や反射ミラー等からなる光学系を移動させることなく、原稿４１０の第１面を光走査する。なお、原稿自動送り装置３１０は、原稿４１０の第２面を光走査する第２面読取センサーを具備している。
【００３２】
原稿自動送り装置３１０に複数の原稿４１０を積み重ねた原稿束がセットされている場合、その原稿４１０を１枚ずつ自動搬送することができる。そして、１枚ずつ自動搬送された原稿４１０の画像を、スキャナ部３２０内の固定読取部３２１や、原稿自動送り装置３１０内の第２面固定読取部に順次読み取らせていくことができる。この場合、原稿束を原稿載置台３１１上にセットした後、コピースタートボタンを押す。すると、原稿自動送り装置３１０が、原稿載置台３１１上に載置された原稿束の原稿４１０を上から順に搬送する。この搬送の過程で、原稿４１０を反転させた直後にスキャナ部３２０の固定読取部３２１の真上に通す。このとき、原稿４１０の第１面の画像がスキャナ部３２０の固定読取部３２１によって読み取られる。
【００３３】
上記構成の画像形成装置１００において、装置本体２００は、用紙４００を搬送するためのシート搬送経路としての第１〜第３の用紙搬送経路２５０、２５２、２５３を有する。第１の用紙搬送経路２５０では、フィードローラ２７ａにより給紙装置２１０から送出された用紙４００が、搬送ローラ対２８及びレジストローラ対２９を介して、二次転写バックアップローラ１２と二次転写ローラ１９とが対向している二次転写位置に搬送される。二次転写位置では、中間転写ベルト８上に形成されたトナー画像が、用紙４００に転写される。第２の用紙搬送経路２５２では、画像形成位置でトナー画像が形成された用紙４００が、そのトナー画像を定着する定着部の定着ローラ対２３０のニップ部を通過し、排紙ローラ対３０を介してスタック部３１上に排紙するように搬送される。第３の用紙搬送経路２５３では、用紙４００の両面に画像を形成するために、定着ローラ対２３０のニップ部を通過した用紙４００が、反転路２５４に搬送される。
【００３４】
画像読取装置３００は、原稿４１０を搬送するためのシート搬送経路としての原稿搬送経路３３０を有する。原稿搬送経路３３０では、原稿自動送り装置３１０から送り出された原稿４１０が、スキャナ部３２０の画像読取位置に搬送される。
【００３５】
図３（ａ）及び（ｂ）はそれぞれ、定着部を通過した用紙４００を反転路２５４に向けて搬送する第３の用紙搬送路２５３を形成するように設けられた搬送ガイド部材２６０の斜視図及び断面図である。また、図３（ｃ）は搬送ガイド部材２６０のリブ部２６１の断面図である。搬送ガイド部材２６０は、用紙搬送方向Ｂと直交する幅方向において所定の間隔で部分的に形成された用紙搬送方向Ｂに延在する複数の凸部としてのリブ部２６１を有し、そのリブ部２６１の頂面が、用紙４００が接触するガイド面２６２になっている。また、このリブ部２６１の頂面からなるガイド面２６２の形状は、用紙搬送方向Ｂにおいて凹状に湾曲した形状になっている。また、搬送ガイド部材２６０の用紙４００が接触するガイド面２６２には、後述するように、被膜層２６１ｂが形成されている。
この被膜層２６１ｂは、基材２６１ａよりも表面粗さＲａが小さく、また、後述するように、静止摩擦係数μｓと動摩擦係数μｄとの差Δμが０．１２以下である。ここで、表面粗さＲａは、ＪＩＳ  Ｂ０６０１  ２００１に定義されている算術平均粗さである。
【００３６】
図４（ａ）及び（ｂ）はそれぞれ、定着部を通過した用紙４００を排紙ローラ対３０のニップ部に向けて搬送する第２の用紙搬送経路２５２を形成するように設けられた搬送ガイド部材２６５の斜視図及び断面図である。図４（ｃ）は搬送ガイド部材２６５のリブ部２６６の断面図。搬送ガイド部材２６５は、用紙搬送方向Ｃと直交する幅方向において所定の間隔で部分的に形成された用紙搬送方向Ｃに延在する複数の凸部としてのリブ部２６６を有し、そのリブ部２６６の頂面が、用紙４００が接触するガイド面２６７になっている。また、このリブ部２６６の頂面からなるガイド面２６７の形状は、用紙搬送方向Ｃにおいて凹状に湾曲した形状になっている。また、搬送ガイド部材２６５の用紙４００が接触するガイド面２６７には、後述するように、基材２６６ａよりも表面粗さＲａが小さく、静止摩擦係数μｓと動摩擦係数μｄとの差Δμが０．１２以下の被膜層２６６ｂが形成されている。
【００３７】
図５（ａ）及び（ｂ）はそれぞれ、第２及び第３の用紙搬送経路２５２，２５３を形成するように設けられた搬送ガイド部材２７０の斜視図及び断面図である。図５（ｃ）は搬送ガイド部材２７０のリブ部２７１の断面図である。搬送ガイド部材２７０は、用紙搬送方向Ｄ，Ｅと直交する幅方向において所定の間隔で部分的に形成された用紙搬送方向Ｄ，Ｅに延在する複数の凸部としてのリブ部２７１を有する。そのリブ部２７１の頂面が、用紙４００が接触するガイド面２７２、２７３になっている。また、このリブ部２７１の頂面からなる２つのガイド面２７２、２７３のうち用紙搬送方向Ｄに延在する部分の頂面からなるガイド面２７２は、定着部を通過した用紙４００を排紙ローラ対３０のニップ部に向けて搬送する第２の用紙搬送経路２５２を形成する。このガイド面２７２の形状は、用紙搬送方向Ｄにおいて平面形状になっている。また、用紙搬送方向Ｅに延在する部分の頂面からなるガイド面２７３は、定着部を通過した用紙４００を反転路２５４に向けて搬送する第３の用紙搬送路２５３を形成する。このガイド面２７３の形状は、用紙搬送方向Ｅにおいて上記搬送ガイド部材２６０のガイド面２６２の曲面に対応するように凸状に湾曲した形状になっている。また、搬送ガイド部材２７０の用紙４００が接触する２つのガイド面２７２、２７３にはそれぞれ、後述するように、基材２７１ａよりも表面粗さＲａが小さく、静止摩擦係数μｓと動摩擦係数μｄとの差Δμが０．１２以下の被膜層２７１ｂが形成されている。
【００３８】
図６（ａ）及び（ｂ）はそれぞれ、原稿自動送り装置３１０から送り出された原稿４１０をスキャナ部３２０の画像読取位置に搬送する原稿搬送経路３３０を形成するように設けられた搬送ガイド部材３４０の斜視図及び断面図である。図６（ｃ）は搬送ガイド部材３４０のリブ部３４１の断面図である。搬送ガイド部材３４０は、原稿搬送方向Ｆと直交する幅方向において所定の間隔で部分的に形成された原稿搬送方向Ｆに延在する複数の凸部としてのリブ部３４１を有し、そのリブ部３４１の頂面が、原稿４１０が接触するガイド面３４２になっている。また、このリブ部３４１の頂面からなるガイド面３４２の形状は、原稿搬送方向Ｆにおいて湾曲した形状になっている。また、搬送ガイド部材３４０の原稿４１０が接触するガイド面３４２には、後述するように、基材３４１ａよりも表面粗さＲａが小さく、静止摩擦係数μｓと動摩擦係数μｄとの差Δμが０．１２以下の被膜層３４１ｂが形成されている。
【００３９】
上記構成の本実施形態の画像形成装置に設けられた搬送ガイド部材２６０、２６５、２７０、３４０の基材（母材）２６１ａ、２６６ａ、２７１ａ及び３４１ａとしては、例えば次の表１に例示する樹脂材料とフィラーから構成される材料を用いることができる。
【表１】
2019026414.tif 000003
【００４０】
表１中の樹脂材料１の「ＡＢＳ−ＦＲ（１７）」は、芳香族臭素化化合物とアンチモン化合物の組合せの難燃剤を添加した難燃性アクリロニトリル-ブタジエン-スチレン樹脂である。また、樹脂材料２の「ＰＥＴ−ＧＦ」は、ガラス繊維をフィラーとして含有するポリエチレンテレフタレート樹脂である。また、樹脂材料３の「ＰＢＴ＋ＡＢＳ」は、ポリブチレンテレフタレートとＡＢＳのアロイである。また、樹脂材料４の「ＰＣ＋ＡＢＳ−（ＴＤ＋ＭＤ）５ＦＲ（４０）」は、（ＴＤ）及び鉱物粉（ＭＤ）をフィラーとして含有するポリカーボネートとアクリロニトリル-ブタジエン-スチレンのアロイである。樹脂材料１〜４においてはカーボン繊維をフィラーとして含有してもよい。また、樹脂材料１、３、４においてはガラス繊維をフィラーとして含有してもよい。
【００４１】
また、搬送ガイド部材２６０、２６５、２７０、３４０それぞれのガイド面２６２、２６７、２７２、２７３、３４２には、前述のように被膜層２６１ｂ、２６６ｂ、２７１ｂ及び３４１ｂが設けられている。この被膜層は、例えば後述の各種塗布方法のいずれかにより公知の一種または複数種の固体潤滑剤を、添加物を適宜含有した公知のバインダー樹脂に分散させて塗料状にした被膜層材料をガイド面に塗布することで形成することができる。
【００４２】
固形潤滑剤としては、二硫化モリブデン，二硫化タングステン，グラファイト，フッ化黒鉛，窒化ホウ素、フッ化カルシウム，二酸化ケイ素，フラーレン，カーボンナノチューブなどの無機化合物系、金，銀，錫，鉛，銅などの軟質金属系、ポリテトラフルオロエチレン（ＰＴＦＥ）など高分子系、金属石鹸，蜜蝋など脂肪，固形エステル、メラミンシアヌレート，アミノ酸化合物などを挙げることができる。
【００４３】
また、バインダー樹脂としては、アクリル、エポキシ，フェノール，フタル酸，ポリアミドイミド，ポリイミド，シリコン、ＰＥＥＫ，ＰＴＦＥ，ＰＦＡなどを挙げることができる。
【００４４】
このガイド面に塗布された被膜層材料が固化することにより、基材（母材）２６１ａ、２６６ａ、２７１ａ及び３４１ａよりも表面粗さＲａが小さい被膜層２６１ｂ、２６６ｂ、２７１ｂ及び３４１ｂとなる。この被膜層により、各搬送ガイド部材のシートが接触するガイド面の表面粗さを低減させることができるので、用紙４００や原稿４１０等のシートをガイドしているときの搬送音を低減することができる。
【００４５】
上記構成の本実施形態の画像形成装置は、先端をレジストローラ対２９のレジストニップに突き当てた状態で用紙４００の搬送を一時停止したり、スイッチバック装置で用紙４００を反転路２５４へ搬送する際に搬送を一時停止したりする。また、画像読取装置３００は、原稿４１０が、スキャナ部３２０の画像読取位置に搬送される前に一時停止する。これら用紙搬送停止後の再搬送時において、用紙４００の搬送ガイド部材２６０、２６５、２７０、３４０への摺擦でスティックスリップ現象が発生し、摺擦音（ビビリ音）が発生する場合があった。
【００４６】
そこで、本実施形態においては、被膜層２６１ｂ、２６６ｂ、２７１ｂ及び３４１ｂの静止摩擦係数μｓと動摩擦係数μｄとの差Δμを０．１２以下にしている。このように、摩擦係数の差Δμを小さくすることで、スティックスリップ現象が発生するのを抑制することができ、再搬送時の摺擦音（ビビリ音）の発生を抑制することができる。これにより、搬送音を低減することができる。
【００４７】
下記表２は、静止摩擦係数μｓと動摩擦係数μｄとの差Δμが、互いに異なる被膜層２６１ｂ、２６６ｂ、２７１ｂが形成された搬送ガイド部材２６０、２６５、２７０を画像形成装置に装着し、用紙４００を画像形成時と同じ動作で連続搬送したときの騒音を測定した検証試験の結果である。
【００４８】
【表２】
2019026414.tif 000004
【００４９】
静止摩擦係数μｓおよび動摩擦係数μｄは、摩擦係数測定機（新東科学（株）製  表面性測定機  ＴＹＰＥ  ＨＥＩＤＯＮ−１４ＦＷ特）を用いて測定した。表面に被膜層を形成したコロを回転不能に上記測定機にセットし、上記測定機の移動テーブルに坪量６０〜８０ｇ／ｍ２の用紙を固定する。そして、荷重４００ｇｆ、テーブル送り速度４３ｍｍ／ｓｅｃでコロを用紙に対して滑らせて静止摩擦係数μｓ、動摩擦係数μｄを測定した。また、標準環境（２３℃、６５％）で測定を行い、上記コロ、上記用紙ともに、４時間以上調湿したものを用いた。なお、被膜層Ａ〜Ｅの厚み、表面粗さＲａは、同一とした。
【００５０】
また、騒音値［ｄｂ］は、画像形成装置から発した音から、用紙搬送に関する音（周波数）を抽出し測定したものである。
【００５１】
表２からわかるように、静止摩擦係数μｓと動摩擦係数μｄとの差Δμが、０．１２以下の被膜層Ａ、Ｄ、Ｅについては、騒音値を、５８［ｄｂ］以下に抑えることができ、静止摩擦係数μｓと動摩擦係数μｄとの差Δμが、０．１２を超える被膜層Ｂや被膜層Ｃに比べて、搬送音を低減することができた。
【００５２】
また、静止摩擦係数μｓおよび動摩擦係数μｄは、なるべく小さく抑えることで、スティックスリップ現象の発生を抑制することができる。従って、静止摩擦係数μｓを、０．２２以下に抑えるのが好ましい。これにより、静止摩擦係数μｓ、動摩擦係数μｄを小さくした上で、静止摩擦係数μｓと動摩擦係数μｄとの差Δμを０．１２以下に抑えることができ、スティックスリップ現象の発生をより一層抑制することができ好ましい。
【００５３】
なお、上記液状の被膜層材料は、搬送ガイド部材２６０、２６５、２７０、３４０それぞれのガイド面２６２、２６７、２７２、２７３、３４２に塗布可能であって塗布後に固化した状態で静止摩擦係数μｓと動摩擦係数μｄとの差Δμが、０．１２以下となる材料であればよい。
【００５４】
また、上記被膜層２６１ｂ、２６６ｂ、２７１ｂ及び３４１ｂは用紙４００や原稿４１０等のシートが接触してもシート側に移行しないものであってもよい。この場合は、被膜層２６１ｂ、２６６ｂ、２７１ｂ及び３４１ｂの機能を長期にわたって維持することができるので、上記搬送音を長期にわたって低減することができる。
【００５５】
また、上記搬送ガイド部材２６０、２６５、２７０、３４０のガイド面２６２、２６７、２７２、２７３、３４２それぞれに形成する被膜層２６１ｂ、２６６ｂ、２７１ｂ及び３４１ｂの膜厚は５０μｍ以下であってもよい。また、上記被膜層２６１ｂ、２６６ｂ、２７１ｂ及び３４１ｂは膜厚が１０μｍよりも厚くなるように形成してもよい。
【００５６】
また、上記被膜層２６１ｂ、２６６ｂ、２７１ｂ及び３４１ｂの表面粗さＲａは０．２μｍ以下であり、上記基材（母材）２６１ａ、２６６ａ、２７１ａ、３４１ａの表面粗さＲａは０．２μｍ以上３μｍ以下であってもよい。
【００５７】
次に、上記構成の画像形成装置１００に設けられた搬送ガイド部材のガイド面に被膜層を形成する方法について説明する。
【００５８】
図７は、本実施形態に係る搬送ガイド部材の製造に用いられる塗布装置の一構成例を示す説明図である。図７において、液塗布装置５００は前述の第３の用紙搬送路２５３を形成する搬送ガイド部材２６０のガイド面２６２に液状の被膜層材料を塗布している。なお、液塗布装置５００で被膜層材料を塗布する対象は、前述の搬送ガイド部材２６５、２７０、３４０等の他の搬送ガイド部材であってもよい。
【００５９】
図７の液塗布装置５００は液噴射方式の塗布装置である。液塗布装置５００は、液状の被膜層材料である塗布液５０１を収容したタンク５０２と、液供給路形成部材としてのホース（又はパイプ）５０３を介してタンク５０２に接続された液噴射部５０４とを備えている。更に、液塗布装置５００は、搬送ガイド部材２６０を保持して移動する可動式の保持機構を備えている。搬送ガイド部材２６０は、そのガイド面２６２が液噴射部５０４に対向するように保持機構で保持される。
【００６０】
液噴射部５０４は、タンク５０２から供給された塗布液を加圧する制御可能なポンプと、加圧された塗布液を放射状に噴射するノズルとを有し、制御可能な回転駆動部５０５で矢印Ｇ方向に回転可能に構成されている。
【００６１】
上記保持機構は、搬送ガイド部材２６０を保持する保持部５０６と、その保持部５０６を支持しながら駆動する制御可能な回転駆動部５０７及びスライド駆動部５０８とを備える。回転駆動部５０７は保持部５０６を支持しながら矢印Ｈ方向に回転駆動することができ、スライド駆動部５０８は回転駆動部５０７を支持しながら矢印Ｉ方向にスライド移動させることができる。この回転駆動及びスライド移動は、例えば、ガイド面２６２における塗布箇所を変化させるとき、ガイド面２６２に対する噴射部の噴射方向の角度が一定になるように制御される。
【００６２】
回転駆動部５０５及び回転駆動部５０７は例えばモータ、ギアなどの駆動伝達系、駆動軸部材などで構成することができる。また、スライド駆動部５０８は、例えば、スライドガイド部、そのスライドガイド部でガイドされる可動部、可動部を駆動するスライド駆動手段などで構成することができる。スライド駆動手段としては、例えば、ベルト駆動方式、ラックピニオン方式、リニアモータ方式などを用いることができる。
【００６３】
液噴射部５０４のポンプ、回転駆動部５０５、並びに保持機構の回転駆動部５０７及びスライド駆動部５０８は、ＣＰＵなどで構成された制御部により、所定の制御プログラムに基づいて制御される。
【００６４】
上記構成の液塗布装置５００では、保持機構で保持された搬送ガイド部材２６０を所定方向に回転させながらスライド移動するとともに、液噴射部５０４を回転しながら塗布液を噴射することができる。これにより、搬送ガイド部材２６０のガイド面２６２が図示のように湾曲している場合でも、その湾曲した任意の形状のガイド面２６２に塗布液を均一に塗布し、均一な膜厚の被膜層２６１ｂ（図３（ｃ）参照）を形成することができる。
【００６５】
なお、図７の液塗布装置５００では、搬送ガイド部材２６０をスライド移動させているが、搬送ガイド部材２６０の代わりに又は搬送ガイド部材２６０とともに、液噴射部５０４をスライド移動させてもよい。
【００６６】
図８は、本実施形態に係る搬送ガイド部材の製造に用いられる塗布装置の他の構成例を示す説明図である。図８において、塗布装置５１０は前述の第２の用紙搬送路２５２を形成する搬送ガイド部材２６５のガイド面２６７に液状の被膜層材料を塗布している。なお、塗布装置５１０で被膜層材料を塗布する対象は、前述の搬送ガイド部材２６０、２７０、３４０等の他の搬送ガイド部材であってもよい。
【００６７】
図８の塗布装置５１０は塗布ローラ方式の塗布装置である。塗布装置５１０は、液状の被膜層材料である塗布液を含むスポンジ、ゴム、不織布、フェルト等からなる表面部を有する塗布ローラ５１１を備えている。塗布ローラ５１１は、図中矢印Ｊ方向に回転するとともに、図中の互いに直交する矢印Ｋ方向及びＬ方向にそれぞれにスライド移動可能に構成されている。この塗布ローラ５１１をスライド移動させるスライド駆動部は、ＣＰＵなどで構成された制御部により、所定の制御プログラムに基づいて制御される。なお、塗布ローラ５１１は、搬送ガイド部材２６５のガイド面２６７に従動して回転してもよいし、回転駆動部で回転駆動してもよい。
【００６８】
上記回転駆動部は例えばモータ、ギアなどの駆動伝達系、駆動軸部材などで構成することができる。また、上記スライド駆動部は、例えば、スライドガイド部、そのスライドガイド部でガイドされる可動部、可動部を駆動するスライド駆動手段などで構成することができる。スライド駆動手段としては、例えば、ベルト駆動方式、ラックピニオン方式、リニアモータ方式などを用いることができる。
【００６９】
上記構成の塗布装置５１０では、搬送ガイド部材２６５のガイド面２６７に塗布ローラ５１１が接触するように塗布ローラ５１１を矢印Ｋ方向及びＬ方向にそれぞれにスライド移動させる。これにより、搬送ガイド部材２６５のガイド面２６７が図示のように湾曲している場合でも、その湾曲した任意の形状のガイド面２６７に塗布液を均一に塗布し、均一な膜厚の被膜層２６６ｂ（図４（ｃ）参照）を形成することができる。
【００７０】
なお、図８の塗布装置５１０では、塗布ローラ５１１をスライド移動させているが、塗布ローラ５１１の代わりに又は塗布ローラ５１１とともに、搬送ガイド部材２６５をスライド移動させてもよい。
【００７１】
図９は、本実施形態に係る搬送ガイド部材の製造に用いられる塗布装置の更に他の構成例を示す説明図である。図９において、塗布装置５２０は前述の原稿搬送経路３３０を形成する搬送ガイド部材３４０のガイド面３４２に液状の被膜層材料を塗布している。なお、塗布装置５２０で被膜層材料を塗布する対象は、前述の搬送ガイド部材２６０、２６５、２７０等の他の搬送ガイド部材であってもよい。
【００７２】
図９の塗布装置５２０は、前述の図７の液塗布装置５００と同様に液噴射方式の塗布装置である。なお、図９において、図７の液塗布装置５００と同様な部分については同じ符号を付し、説明を省略する。
【００７３】
図９の塗布装置５２０において、搬送ガイド部材３４０は、そのガイド面３４２が液噴射部５０４に対向するように保持機構で保持される。また、搬送ガイド部材３４０のガイド面３４２以外の表面部分のうち、液噴射部５０４から噴射される塗布液が到達する可能性がある表面部分は、カバー部材５２５で覆われている。このカバー部材５２５により、ガイド面３４２以外の塗布不要な表面部分に塗布液が塗布されなくなるので、その塗布不要な表面部分への塗布液の塗布による液だれなどの不具合を防止することができる。
【００７４】
液噴射部５０４は、制御可能な回転駆動部５２１で矢印Ｍ方向に回転可能に構成されている。また、その回転駆動部５２１は、スライド駆動部５２２によって支持されながら矢印Ｎ方向にスライド移動させることができる。液噴射部５０４のポンプ、回転駆動部５２１及びスライド駆動部５２２は、ＣＰＵなどで構成された制御部により、所定の制御プログラムに基づいて制御される。
【００７５】
回転駆動部５２１は例えばモータ、ギアなどの駆動伝達系、駆動軸部材などで構成することができる。また、スライド駆動部５２２は、例えば、スライドガイド部、そのスライドガイド部でガイドされる可動部、可動部を駆動するスライド駆動手段などで構成することができる。スライド駆動手段としては、例えば、ベルト駆動方式、ラックピニオン方式、リニアモータ方式などを用いることができる。
【００７６】
上記構成の塗布装置５２０では、液噴射部５０４をスライド移動するとともに回転しながら塗布液を噴射することができる。これにより、搬送ガイド部材３４０のガイド面３４２の全体に塗布液を均一に塗布し、均一な膜厚の被膜層３４１ｂ（図６（ｃ）参照）を形成することができる。
【００７７】
なお、図９の塗布装置５２０では、液噴射部５０４をスライド移動させているが、液噴射部５０４の代わりに又は液噴射部５０４とともに、搬送ガイド部材３４０をスライド移動させてもよい。
【００７８】
図１０（ａ）及び（ｂ）はそれぞれ実施形態に係る搬送ガイド部材の製造に用いられる塗布装置の更に他の構成例を示す平面図及び正面図である。なお、図１０において、図７の液塗布装置５００と同様な部分については同じ符号を付し、説明を省略する。
【００７９】
図１０において、塗布装置５３０は前述の第２及び第３の用紙搬送経路２５２，２５３を形成する搬送ガイド部材２７０のガイド面２７２、２７３に液状の被膜層材料を塗布している。なお、塗布装置５３０で被膜層材料を塗布する対象は、前述の搬送ガイド部材２６０、２６５、３４０等の他の搬送ガイド部材であってもよい。
【００８０】
図１０の塗布装置５３０はインクジェット方式の塗布装置である。塗布装置５３０は、一列又は複数列に並べて複数のノズル５３１ａが形成された液滴吐出ヘッド５３１と、その液滴吐出ヘッド５３１を移動させるヘッド移動手段とを備えている。液滴吐出ヘッド５３１は、例えば、圧電素子などで任意のタイミングで加圧される液室がノズル５３１ａごとに設けられ、各液室にタンク５０２から塗布液が供給される。
【００８１】
搬送ガイド部材２７０は、そのガイド面２７２、２７３が液滴吐出ヘッド５３１のノズル５３１ａに対向するようにステージ５３３上にセットされる。
【００８２】
上記ヘッド移動手段は、液滴吐出ヘッド５３１を支持する支持アーム５３２と、ステージ５３３上で図中矢印Ｏ方向に支持アーム５３２をガイドしながらスライド移動させる一対のスライド駆動機構５３４とを備えている。
【００８３】
液滴吐出ヘッド５３１の各ノズル５３１ａからの塗布液の液滴の吐出及びスライド駆動機構５３４は、ＣＰＵなどで構成された制御部により、所定の制御プログラムに基づいて制御される。ここで、液滴吐出ヘッド５３１の各ノズル５３１ａからの塗布液の液滴の吐出は、例えば、搬送ガイド部材２７０のガイド面のみに塗布液が塗布されるように制御してもよい。
【００８４】
スライド駆動機構５３４で支持アーム５３２を駆動するスライド駆動手段としては、例えば、ベルト駆動方式、ラックピニオン方式、リニアモータ方式などを用いることができる。
【００８５】
上記構成の塗布装置５３０では、支持アームに支持された液滴吐出ヘッド５３１を図中矢印Ｏ方向に移動させながら、液滴吐出ヘッド５３１から塗布液の液滴を吐出することができる。これにより、搬送ガイド部材２７０の任意の形状のガイド面２７２、２７３に塗布液を均一に塗布し、均一な膜厚の被膜層２７１ｂ（図５（ｃ）参照）を形成することができる。
【００８６】
なお、図１０の塗布装置５３０では、液滴吐出ヘッド５３１をスライド移動させているが、液滴吐出ヘッド５３１の代わりに又は液滴吐出ヘッド５３１とともに、搬送ガイド部材２７０をスライド移動させてもよい。
【００８７】
図１１は、開閉カバー２０１、手差しトレイ２０２の開閉について説明する概略斜視図である。
図１１に示すように、装置本体２００の正面には、作像ユニット６Ｙ、６Ｍ、６Ｃ、６Ｋを交換する際に開閉される開閉カバー２０１が設けられている。また、装置本体２００の側面には、手差しトレイ２０２が開閉可能に設けられている。開閉カバー２０１は、支持軸２０１ａに回動自在に支持されており、図１１に示す閉位置から図中矢印Ｆ方向に支持軸２０１ａを支点にして回動することで開かれる。また、手差しトレイ２０２も、支持軸２０２ａに回動自在に支持されており、図１１に示す閉位置から図中矢印Ｇ方向に支持軸２０１ａを支点にして回動することで開かれる。
開閉カバー２０１や手差しトレイ２０２は、樹脂材からなり、支持軸２０１ａ,２０２ａは、金属材または樹脂材で構成される。
【００８８】
開閉カバー２０１や手差しトレイ２０２を開閉するとき、開閉カバー２０１や手差しトレイ２０２は、支持軸２０１ａ,２０２ａに摺動する。従って、開閉カバー２０１や手差しトレイ２０２を、閉位置から開くときや、開位置から閉じるときに、スティックスリップ現象が発生し、摺動音が生じるおそれがある。
【００８９】
よって、開閉カバー２０１や手差しトレイ２０２の支持軸２０１ａ、２０２ａに摺動する摺動面または支持軸２０１ａ,２０２ａの外周面に上述した被膜層を形成するのが好ましい。これにより、開閉カバー２０１や手差しトレイ２０２の開閉の際に、摺動音が発生するのを抑制することができる。
【００９０】
また、図１に示すように、装置本体の上面には、トナーボトル３２Ｙ、Ｍ、Ｃ、Ｋを交換する際に開閉される上カバー２０３が設けられており、この上カバー２０３も支持軸２０３ａに回動自在に支持されている。よって、上カバー２０３の支持軸２０３ａに摺動する摺動面または支持軸２０３ａの外周面にも上述した被膜層を形成するのが好ましい。
【００９１】
図１２は、感光体などの回転体を駆動する装置本体２００に設けられた駆動装置４０の一例を示す概略構成図である。図１３は、段ギヤ４２の正面図である
図１２に示す駆動装置は、対向配置された一対の側板に固定された金属の固定軸４５に回転自在に支持された樹脂材からなる段ギヤ４２を有している。駆動モータ４１の駆動力が段ギヤ４２を介して、回転体の軸Ｏ２に設けられた駆動ギヤ４３に伝達され、回転体Ｏが回転駆動する。この回転体Ｏへの駆動伝達時に段ギヤ４２は、固定軸４５に摺動する。そのため、駆動開始時にスティックスリップ現象が発生し、摺動音が生じるおそれがある。よって、図１３に示すように、段ギヤ４２の固定軸４５と摺動する固定軸４５が貫通する貫通孔４２ａの内周面に上述した被膜層を形成する。これにより、駆動開始時の摺動音による騒音を抑制することができる。また、貫通孔４２ａの内周面ではなく固定軸４５に上述した被覆層を形成してもよい。
【００９２】
また、回転体の軸Ｏ２を受ける軸受４６は、樹脂材からなっており、この軸受４６は、回転体の軸Ｏ２に摺動する。よって、この軸受４６の回転体の軸Ｏ２が貫通孔の内周面や回転体の軸Ｏ２の軸受４６に摺動する摺動面に、上記被膜層を形成することにより摺動音を抑制することができる。
【００９３】
図１４は、画像形成装置において用紙４００に搬送力を付与する各ローラ部材と、シート収容カセット２６とを模式的に示す模式図であり、図１５は、シート収容カセット２６の概略構成図である。
シート収容カセット２６は、カセット筐体２１２、ガイド部材２１３、エンドフェンス２１４、サイドフェンス、昇降底板２１５、カセット外装カバー２１６及び取っ手部２１１を備える。カセット筐体２１２は、内部に用紙４００を収納する用紙収納空間を形成する上面が開放した箱状の樹脂材料からなる部材である。また、カセット筐体２１２の図中右側側板と左側側板とには、樹脂材料からなるガイド部材２１３が設けられている。ガイド部材２１３は給紙装置２１０にシート収容カセット２６を装着する際に、給紙装置２１０本体側の金属製のガイドレール２１７に沿ってシート収容カセット２６が移動するように案内する部材である。
【００９４】
取っ手部２１１を掴んでユーザーがシート収容カセット２６を給紙装置２１０から引き出す際や、給紙装置２１０内に押し入れる際にガイド部材２１３は、ガイドレール２１７に摺動する。そのため、シート収容カセット２６の押入れや引き出しの際にスティックスリップ現象が発生し、摺動音が生じるおそれがある。よって、ガイド部材２１３のガイドレール２１７に摺動する上下面、または、ガイドレール２１７のガイド部材２１３に摺動する面に上述した被膜層を形成するのが好ましい。これにより、シート収容カセット２６の押入れや引き出しの際に摺動音が生じるのを抑制することができる。
【００９５】
また、上述は、一例にすぎず、画像形成装置において、相手部材に摺動する部材の摺動面に上述の被膜層を形成することができる。例えば、感光体に摺動して感光体表面をクリーニングするクリーニングブレードや、中間転写ベルトに摺動して中間転写ベルト表面をクリーニングするクリーニングブレードの相手部材に接触する先端部に上述した被膜層を形成してもよい。また、例えば、特開２０１４−１４６０６３号公報に記載のように、無端状の定着ベルトの内側に設けたニップ形成部材に、定着ベルトを介して加圧ローラを当接させて定着ベルトと加圧ローラとの間に定着ニップを形成する定着装置のニップ形成部材の定着ベルトとの摺動面に上述した被膜層を形成してもよい。
【００９６】
また、自動原稿搬送装置を備えていない画像読取装置においても、本発明を適用できる。かかる画像読取装置においては、コンタクトガラスにセットされた原稿の画像を読み取る際に、原稿面に光を照射するための光源などが搭載されたキャリッジを原稿面に沿って移動させる。この際に、キャリッジが、キャリッジをガイドするガイド部材に摺動して摺動音が発生するおそれがある。従って、キャリッジのガイド部材にガイドされる被ガイド部や、ガイド部材のキャリッジが摺動する箇所に上述した被覆層を形成することで、自動原稿搬送装置を備えていない画像読取装置の騒音を抑制できる。
【００９７】
以上に説明したものは一例であり、以下の態様毎に特有の効果を奏する。
（態様１）
画像形成装置、画像読取装置または自動原稿搬送装置に使用される部材において、基材と、前記基材に被膜された被膜層とを有し、前記被膜層の静止摩擦係数μｓと動摩擦係数μｄとの差Δμが、０．１２以下である。
これによれば、先の検証実験で説明したように、スティックスリップ現象の発生を抑制することができ、摺動音（ビビリ音）の発生が抑制され、画像形成装置や画像読取装置の騒音を抑えることができる。
【００９８】
（態様２）
態様１において、被膜層の静止摩擦係数μｓが、０．２２以下である。
これによれば、上記実施形態で説明したように、静止摩擦係数μｓ、動摩擦係数μｄを小さくした上で、静止摩擦係数μｓと動摩擦係数μｄとの差Δμを、０．１２以下にすることができる。これによりスティックスリップ現象の発生をより一層抑制することができ、摺動音を抑制することができる。
【００９９】
（態様３）
態様１または２において、当該部材の、用紙４００などのシート状部材と接触して停止した状態と、相対的に摺動する状態とを取りうる部分に前記被膜層が形成されている。
これによれば、上記実施形態で説明したように、用紙４００などのシート状部材が停止した状態から動き出したときにスティックスリップ現象が発生するのを抑制することができ、摺動音が発生するのを抑制することができる。
【０１００】
（態様４）
態様１または２において、当該部材の、金属部材と接触して停止した状態と、相対的に摺動する状態とを取りうる部分に前記被膜層が形成されている。
これによれば、図１１〜図１５を用いて説明したように、金属部材に摺動する部材の摺動面が停止した状態から動き出したときにスティックスリップ現象が発生するのを抑制することができ、摺動音が発生するのを抑制することができる。
【０１０１】
（態様５）
態様１または２において、当該部材の、樹脂部材と接触して停止した状態と、相対的に摺動する状態とを取りうる部分に前記被膜層が形成されている。
これによれば、樹脂部材に摺動する部材の摺動面が停止した状態から動き出したときにスティックスリップ現象が発生するのを抑制することができ、摺動音が発生するのを抑制することができる。
【０１０２】
（態様６）
態様１乃至５いずれかにおいて、前記被膜層の表面粗さが、前記基材の表面粗さ以下である。
これによれば、上記実施形態で説明したように、部材の相手部材に摺動する摺動面を被膜層により表面粗さを低減させることができる。このように表面粗さを低減させた摺動面が相手部材に摺動することにより、基材が相手部材に摺動する従来構成に比して、摺動時の騒音を低減することができる。
【０１０３】
（態様７）
態様６において、被膜層の表面粗さＲａは０．２［μｍ］以下であり、基材の表面粗さＲａは０．２［μｍ］以上３［μｍ］以下である。
これによれば、上記実施形態について説明したように、より確実に摺動時の騒音を長期にわたって低減することができるとともに、基材の製造が容易になり製造コストを低減できる。
【０１０４】
（態様８）
態様１乃至７いずれかにおいて、被膜層の膜厚は５０［μｍ］以下である。
これによれば、上記実施形態で説明したように、５０μｍ以下の膜厚の被膜層を設けても、部材に摺動する相手部材に対する影響が小さくため、部材の寸法を変更したり摺動面の位置を変更したりすることなく、所定の機能を維持できる。
【０１０５】
（態様９）
態様１乃至８いずれかにおいて、被膜層は１０［μｍ］よりも厚い。
これによれば、上記実施形態で説明したように、被膜層の機能をより確実に発揮できる。
【０１０６】
（態様１０）
態様１乃至９いずれかにおいて、基材は、樹脂材料から構成されている。
これによれば、実施形態で説明したように、樹脂と金属、樹脂と樹脂、樹脂とシート部材との摺動によるスティックスリップ現象の発生を抑制することができ、摺動音を抑制することができる。
【０１０７】
（態様１１）
態様１乃至１０いずれかにおいて、基材は、少なくとも樹脂とフィラーから構成されている。
これによれば、上記実施形態で説明したように、部材の剛性及び耐熱性を高めることができる。
【０１０８】
（態様１２）
態様１乃至１１いずれかにおいて、当該部材は、画像形成装置または原稿自動搬送装置におけるシートの搬送経路に沿って設けられる搬送ガイド部材であり、前記シートが接触するガイド面に少なくとも前記被膜層が形成されている。
これによれば、実施形態で説明したように、シートをガイドしているときの搬送音を低減することができる。
【０１０９】
（態様１３）
態様１２において、前記シートが接触するガイド面は湾曲している。
これによれば、上記実施形態で説明したように、シートの接触圧（摺動負荷）が高くなりやすい湾曲したガイド面にシートが摺擦してガイドされる場合においても、搬送音を長期にわたって低減することができる。
【０１１０】
（態様１４）
態様１２または１３において、シートの搬送方向と直交する幅方向において部分的に形成されシートの搬送方向に延在する一又は複数の凸部を有し、ガイド面は、前記凸部の頂面である。
これによれば、上記実施形態で説明したように、シートの搬送性を確保しつつ、被膜層を形成する面積を低減することができる。
【０１１１】
（態様１５）
用紙４００などのシート部材を搬送し、画像を形成する画像形成装置において、態様１乃至１４いずれかの部材を用いた。
これによれば、画像形成装置の騒音を抑制することができる。
【０１１２】
（態様１６）
原稿などのシート部材に形成された画像を読み取る画像読取装置において、態様１乃至１４いずれかの部材を用いた。
これによれば、画像読取装置の騒音を抑制することができる。
【０１１３】
（態様１７）
シート状部材を搬送する自動原稿搬送装置において、態様１乃至１４の部材を用いた。
これによれば、自動原稿搬送装置の騒音を抑制することができる。
【符号の説明】
【０１１４】
段ギヤ  ４２
固定軸  ４５
軸受  ４６
１００  画像形成装置
２００  装置本体
２０１  開閉カバー
２０２  手差しトレイ
２０３  上カバー
２０１ａ、２０２ａ、２０３ａ  支持軸
２１０  給紙装置
２１３  ガイド部材
２１７  ガイドレール
２５０〜２５３  用紙搬送経路
２６０、２６５、２７０  搬送ガイド部材
２６１。２６６、２７１  リブ部
２６１ａ、２６６ａ、２７１ａ  基材
２６１ｂ、２６６ｂ、２７１ｂ  被膜層
２６２、２６７、２７２、２７３  ガイド面
３００  画像読取装置
３１０  原稿自動送り装置（ＡＤＦ）
３２０  スキャナ部
３３０  原稿搬送経路
３４０  搬送ガイド部材
３４１  リブ部
３４１ａ  基材
３４１ｂ  被膜層
３４２  ガイド面
４００  用紙（シート）
４１０  原稿（シート）
５００、５１０、５２０、５３０  塗布装置
５０１  塗布液
５０２  タンク
５０３  ホース
５０４  液噴射部
５０５  回転駆動部
５０６  保持部
５０７  回転駆動部
５０８  スライド駆動部
５１１  塗布ローラ
５２１  回転駆動部
５２２  スライド駆動部
５２５  カバー部材
５３１  液滴吐出ヘッド
５３１ａ  ノズル
５３２  支持アーム
５３３  ステージ
５３４  スライド駆動機構
μｄ  動摩擦係数
μｓ  静止摩擦係数
Δμ  静止摩擦係数と動摩擦係数との差
【先行技術文献】
【特許文献】
【０１１５】
【特許文献１】特開平７−２９５４０５号公報
【図１】
2019026414.tif 000005
【図２】
2019026414.tif 000006
【図３】
2019026414.tif 000007
【図４】
2019026414.tif 000008
【図５】
2019026414.tif 000009
【図６】
2019026414.tif 000010
【図７】
2019026414.tif 000011
【図８】
2019026414.tif 000012
【図９】
2019026414.tif 000013
【図１０】
2019026414.tif 000014
【図１１】
2019026414.tif 000015
【図１２】
2019026414.tif 000016
【図１３】
2019026414.tif 000017
【図１４】
2019026414.tif 000018
【図１５】
2019026414.tif 000019